(57)【要約】 【課題】      簡単にして片手でも洗米ができ、しかも煩わしい作業もなく、非常に使い勝手の良いものとすることができる。【解決手段】  有底筒状で側壁におかゆ調理用のお米または水を計量する目盛りを備えた計量カップ本体２と、米粒より小さい複数の透孔１２、１２を備えた蓋体４とを有し、蓋体４が計量カップ本体２の開口３周りに沿ってスライドし、計量カップ本体２の開口３を開閉する構成としている。【選択図】   図４
2006275546.tif 000002
【特許請求の範囲】
【請求項１】
有底筒状で側壁におかゆ調理用のお米または水を計量する目盛りを備えた計量カップ本体（２）と、米粒より小さい複数の透孔（１２）、（１２）を備えた蓋体（４）とを有し、蓋体（４）が計量カップ本体（２）の開口（３）周りに沿ってスライドし、計量カップ本体（２）の開口（３）を開閉することを特徴としたおかゆ調理用の計量カップ。
【発明の詳細な説明】
【技術分野】
【０００１】
本発明は、少量のお米と水とで調理されるおかゆ調理用の計量カップに関するものである。
【背景技術】
【０００２】
従来、炊飯用の計量カップとしては、側壁にお米または水を計量する目盛りを備えた容器本体と、複数個の米粒より小さい孔を設け、容器本体の開口を開閉する蓋とを備えた炊飯用計量容器が特公平６−１８５４０号公報（特許文献１  図１及び図２参照）として存在する。
【０００３】
【特許文献１】特公平６−１８５４０号（図１及び図２）
【０００４】
以下、特許文献１の図１及び図２により従来の炊飯用計量容器について説明する。
この特許文献１の炊飯用計量容器は、側壁にお米または水を計量する目盛りを備えた容器本体と、複数個の米粒より小さい孔を設け、容器本体の開口を開閉する蓋とを有する構成として、容器本体の開口よりお米を入れて、側壁の目盛りにより計量した状態で更に水を入れて洗米した後、その洗米された水は蓋を開けることなく、蓋に設けた複数個の孔から捨て、洗米をおこなうものである。
【発明の開示】
【発明が解決しようとする課題】
【０００５】
ところが、この種の炊飯用計量容器では、おかゆを調理するためのものではなく、単身赴任者や一人暮らしの人等による０．５合から１合のお米を炊く場合が適切あるために、計量容器も大きな形状となり、洗米するには、お米と水を入れた計量容器内に片手を入れてよく掻き回せ、蓋をした計量容器を両方の手でもって蓋と共に計量容器を傾け、蓋の孔から濁った水を捨て、この動作を繰り返し洗米しなければならないので、煩わしい作業となるという問題点があった。
【０００６】
又、このお米と水を入れた計量容器に蓋をして、蓋をした計量容器の片方の手で蓋の孔を塞ぎ、計量容器の上下を両方の手でもって上下に振った後、蓋をした計量容器を両方の手でもって蓋と共に計量容器を傾け、蓋の孔から濁った水を捨て、これを繰り返し洗米
する動作もあるが、これでは重量の嵩張る計量容器のために、繰り返しおこなうと疲れて特にお年寄り等は十分な洗米ができないという問題点があった。
しかも、計量容器本体と蓋とが別体で、使用前後に蓋を探す必要が生じ、又、計量容器本体にお米、水を入れ洗米を繰り返すたびに一旦蓋をはずさなければならないために、使い勝手の非常に悪いものであった。
【課題を解決するための手段】
【０００７】
本発明は、有底筒状で側壁におかゆ調理用のお米または水を計量する目盛りを備えた計量カップ本体２と、米粒より小さい複数の透孔１２、１２を備えた蓋体４とを有し、蓋体４が計量カップ本体２の開口３周りに沿ってスライドし、計量カップ本体２の開口３を開閉する構成としている。
【発明の効果】
【０００８】
本発明は、従来の問題点を解決したものであって、簡単にして片手でも洗米ができ、しかも煩わしい作業もなく、非常に使い勝手の良いものとすることができる。
【発明を実施するための最良の形態】
【０００９】
おかゆ調理用のお米または水を計量する計量カップ１は、有底筒状で側壁におかゆ調理用のお米または水を計量する目盛りを備えた計量カップ本体２と、米粒より小さい複数の透孔１２、１２を備えた蓋体４とから構成されている。
【００１０】
計量カップ本体２は、おかゆを調理するために片手でつかみえるような小型で、合成樹脂材料にて有底筒状に形成されており、図１及び図４に示すように、上端の開口３の周りに環状リブ５を設け、前方側に大きく突出した鍔部６を設けている。
【００１１】
計量カップ本体の鍔部６は、図２に示すように、環状リブ５の肉厚と同じ厚みで、図２及び図４に示すように、後述の係止用突起を貫通する孔７を穿設している。
【００１２】
蓋体４は、図３及び図４に示すように、計量カップ本体の開口３と鍔部６とを閉鎖する円形の異形状型に形成しており、米粒よりも小さい複数の透孔１２，１２を穿設し、鍔部の孔７に相当する裏側個所に係止用突起８を垂下している。
この係止用突起８は、鍔部の孔７に無理嵌めされているが、計量カップ本体の開口面をスムーズにスライドできるよう、鍔部の孔７内に嵌め込まれている。
【００１３】
蓋体４の裏側には、図３に示すように、外周壁内向きに計量カップ本体の開口３の一部周壁を上下より挟み込む挟持部９を設け、この挟持部９に計量カップ本体の開口３が挟み込まれると計量カップ本体の開口を確実に閉鎖する状態となる。
【００１４】
蓋体４の裏側には、図３に示すように、挟持部９より離れた外周壁内向きに計量カップ本体の鍔部６周壁に当接して蓋体４を停止するストッパー１０を設けている。
【００１５】
このストッパー１０は、計量カップ本体の鍔部６周壁に当接すると蓋体４が計量カップ本体の開口３を十分開いた状態で停止することとなる。
【００１６】
１１は、蓋体４の上面にあって、計量カップ本体の開口３に向けて開閉することを示す表示印であり、しめる方向に蓋体４を計量カップ本体の開口３周りに沿ってスライドさせれば、計量カップ本体の開口３を閉じ、逆にあける方向に蓋体４を計量カップ本体の開口３周りに沿ってスライドさせれば、計量カップ本体の開口３を開放することとなる。
【００１７】
おかゆの調理を行うには、先ず計量カップ本体２のお米の量の目盛りに従って、計量カップ本体内にお米を入れ、適当な水を加えた後、しめる方向に蓋体４を計量カップ本体の開口３周りに沿ってスライドさせ蓋体４を閉じ、左右前後、又は蓋体４の複数の透孔１２，１２を片手で覆って上下に十分振った後、計量カップ本体２を大きく傾け計量カップ本体内の水を抜き取る。
【００１８】
次に又適当な水を追加して前回同様左右前後又は上下に十分振った後、計量カップ本体２を大きく傾け計量カップ本体内の水を抜き取る。この動作を数回繰り返す。
おかゆ調理では、お米の量が極端に少ないために何度も洗米を繰り返す煩わしさも必要もなく簡単に洗米することができる。
【００１９】
更に、計量カップ本体内の洗米されたお米に対し決められた水の量を計量カップ本体の水の量の目盛りに沿って加入する。この計量カップ本体内のお米と水の量とを椀等に移し替え、電子レンジに入れて調理し、おかゆを作るか又はこの計量カップ本体内のお米と水の量とを土鍋等に移し替えて、ガス又は電気調理器上に架けておかゆ調理を行う。
【００２０】
以上本発明の代表的と思われる実施例について説明したが、本発明は必ずしもこれら実施例構造のみに限定されるものではなく、本発明にいう前記の構成要件を備え、かつ、本発明にいう目的を達成し、本発明にいう効果を有する範囲内において適宜改変して実施することができるものである。
【図面の簡単な説明】
【００２１】
【図１】本発明実施例の側面図。
【図２】本発明実施例の縦断面図。
【図３】本発明実施例の蓋体を開放した状態の底面図。
【図４】本発明実施例の蓋体一部開放の斜視図。
【符号の説明】
【００２２】
１…おかゆ調理用の計量カップ
２…計量カップ本体
３…計量カップ本体の開口
４…蓋体
５…環状リブ
６…嘴部
７…孔
８…係止用突起
９…挟持部
１０…ストッパー
１１…表示印
１２、１２…透孔
【図１】
2006275546.tif 000003
【図２】
2006275546.tif 000004
【図３】
2006275546.tif 000005
【図４】
2006275546.tif 000006